(57)【要約】【課題】タレットに備えた装着穴の中心位置と当該装着穴に装着したパンチ，ダイの中心位置との偏倚量を補正することのできるタレットパンチプレスを提供する。【解決手段】タレットパンチプレスにおける上下のタレット５，７における基準の装着穴に装着した基準のパンチＰ，ダイＤによるワークＷの基準の打抜き加工穴２９Ａの中心位置を演算する中心位置演算手段２７と、前記上下のタレット５，７における別個の装着穴に装着したパンチ，ダイによるワークの別個の打抜き加工穴２９Ｂの中心位置を演算する前記中心位置演算手段２７と、前記基準の打抜き加工穴２９Ａの中心位置に対する前記別個の打抜き加工穴２９Ｂの中心位置の、Ｘ，Ｙ軸方向の偏倚量ΔＸ，ΔＹを、前記各装着穴と前記パンチ，ダイに関連付けて格納したデータベース３５と、を備えている。【選択図】図１
2014018818.tif 000002
【特許請求の範囲】
【請求項１】
複数のパンチを着脱交換自在かつ上下動自在に備えた上部タレットを、各パンチを加工位置へ回転割出し位置決め自在に備えると共に、前記各パンチと対応する複数のダイを着脱交換自在に備えた下部タレットを、前記各パンチに対応して前記各ダイを前記加工位置へ回転割出し位置決め自在に備え、前記加工位置に対して板状のワークを相対的にＸ，Ｙ軸方向へ移動位置決め自在なワーク移動位置決め装置を備えたタレットパンチプレスであって、
前記上下のタレットにおける基準の装着穴に装着した基準のパンチ，ダイによるワークの基準の打抜き加工穴を撮像する撮像手段と、この撮像手段によって撮像した前記基準の打抜き加工穴の中心位置を演算する中心位置演算手段と、
前記上下のタレットにおける前記基準の装着穴に装着した別個のパンチ，ダイ又は前記上下のタレットにおける別個の装着穴に装着したパンチ，ダイによるワークの別個の打抜き加工穴を撮像する前記撮像手段及び上記別個の打抜き加工穴の中心位置を演算する前記中心位置演算手段と、
前記基準の打抜き加工穴の中心位置に対する前記別個の打抜き加工穴の中心位置の、Ｘ，Ｙ軸方向への偏倚量を演算する偏倚量演算手段と、
前記上下のタレットにおける各装着穴にそれぞれ別個のパンチ，ダイをそれぞれ個別に装着してワークの打抜き加工を行ったときの、前記基準の打抜き加工穴の中心位置に対する当該打抜き加工穴のＸ，Ｙ軸方向の偏倚量を、前記各装着穴と前記パンチ，ダイに関連付けて格納したデータベースと、
を備えていることを特徴とするタレットパンチプレス。
【請求項２】
複数のパンチを着脱交換自在かつ上下動自在に備えた上部タレットを、各パンチを加工位置へ回転割出し位置決め自在に備えると共に、前記各パンチと対応する複数のダイを着脱交換自在に備えた下部タレットを、前記各パンチに対応して前記各ダイを前記加工位置へ回転割出し位置決め自在に備え、前記加工位置に対して板状のワークを相対的にＸ，Ｙ軸方向へ移動位置決め自在なワーク移動位置決め装置を備えたタレットパンチプレスであって、
前記上下のタレットにおける各装着穴の正規な位置に対する各装着穴の中心位置のＸ，Ｙ軸方向への微小誤差をタレットパラメータとして格納したパラメータメモリと、
前記上下のタレットにおける各装着穴に装着したパンチ，ダイによるワークの打抜き加工穴を撮像する撮像手段と、この撮像手段によって撮像した前記打抜き加工穴の中心位置を演算する中心位置演算手段と、
前記パラメータメモリに格納されたタレットパラメータによって補正された各装着穴の補正中心位置に対する、前記中心位置演算手段によって演算された打抜き加工穴の中心位置のＸ，Ｙ軸方向への偏倚量を演算する偏倚量演算手段と、
前記上下のタレットにおける各装着穴にそれぞれ別個のパンチ，ダイをそれぞれ個別に装着してワークの打抜き加工を行ったときの、各装着穴の補正中心位置に対する当該打抜き加工穴のＸ，Ｙ軸方向の偏倚量を、前記各装着穴と前記パンチ，ダイに関連付けて格納したデータベースと、
を備えていることを特徴とするタレットパンチプレス。
【発明の詳細な説明】
【技術分野】
【０００１】
本発明は、複数のパンチ，ダイを着脱交換自在に備えた上下のパレットを、加工位置へ回転割出し位置決め自在なタレットパンチプレスに係り、さらに詳細には、上下のタレットに備えた装着穴にパンチ，ダイを装着したとき、前記装着穴の内径とパンチ，ダイの外径との差に起因するミクロンオーダのＸ，Ｙ軸方向への偏倚量をデータベースとして備えているタレットパンチプレスに関する。
【背景技術】
【０００２】
タレットパンチプレスは、複数のパンチ，ダイを着脱交換自在に備えた上下のタレットを、加工位置へ回転割出し位置決め自在に備えている。そして、加工位置へ割出し位置決めされたパンチ，ダイによって板状のワークに打抜き加工を行うために、ワークをＸ，Ｙ軸方向へ相対的に移動位置決めするための、ワーク移動位置決め装置が備えられている。
【０００３】
従来、タレットパンチプレスにおける上下のタレットを上下に重ねて、パンチ，ダイの装着穴を同時に加工することなどにより、上下のタレットにおける装着穴の心合せ（心出し）は極めて高精度に行われている。そして、上下のタレットに対する前記装着穴の加工は、許容範囲内の位置に行われているものの、上下のタレットにおける所定の位置に対する前記装着穴の位置ずれは、上記位置ずれを検出して工具位置補正が行われている（例えば特許文献１参照）。
【先行技術文献】
【特許文献】
【０００４】
【特許文献１】特開平４−１５７０２５号公報
【発明の概要】
【発明が解決しようとする課題】
【０００５】
前記特許文献１に記載の工具位置補正は、タレットに対する装着穴の加工位置の誤差を補正するものである。ところで、タレットパンチプレスにおいては、上部タレットに備えたパンチ装着穴にパンチを上下動自在に挿入装着し、キーとキー溝の関係において、パンチの方向性を一定に保持しているものである。
【０００６】
すなわち、パンチは、上部タレットに備えた装着穴に上下動自在に挿入装着するものであるから、前記装着穴の内周面と前記パンチの外周面との間にはミクロンオーダの間隙（クリアランス）が存在するものである。そして、各装着穴と各パンチとの組合せによっては、前記クリアランスの存在に起因して、装着穴の中心（軸心）に対してパンチの中心（軸心）がＸ，Ｙ軸方向へ僅かに偏倚することがあり、かつ偏倚量が組合せによってそれぞれ異なるものである。したがって、ワークの打抜き加工をより高精度に行うには、各装着穴に対する各パンチのＸ，Ｙ軸方向へのミクロンオーダの偏倚量を補正する必要があるものである。
【課題を解決するための手段】
【０００７】
本発明は、前述のごとき問題に鑑みてなされたもので、複数のパンチを着脱交換自在かつ上下動自在に備えた上部タレットを、各パンチを加工位置へ回転割出し位置決め自在に備えると共に、前記各パンチと対応する複数のダイを着脱交換自在に備えた下部タレットを、前記各パンチに対応して前記各ダイを前記加工位置へ回転割出し位置決め自在に備え、前記加工位置に対して板状のワークを相対的にＸ，Ｙ軸方向へ移動位置決め自在なワーク移動位置決め装置を備えたタレットパンチプレスであって、前記上下のタレットにおける基準の装着穴に装着した基準のパンチ，ダイによるワークの基準の打抜き加工穴を撮像する撮像手段と、この撮像手段によって撮像した前記基準の打抜き加工穴の中心位置を演算する中心位置演算手段と、前記上下のタレットにおける前記基準の装着穴に装着した別個のパンチ，ダイ又は前記上下のタレットにおける別個の装着穴に装着したパンチ，ダイによるワークの別個の打抜き加工穴を撮像する前記撮像手段及び上記別個の打抜き加工穴の中心位置を演算する前記中心位置演算手段と、前記基準の打抜き加工穴の中心位置に対する前記別個の打抜き加工穴の中心位置の、Ｘ，Ｙ軸方向への偏倚量を演算する偏倚量演算手段と、前記上下のタレットにおける各装着穴にそれぞれ別個のパンチ，ダイをそれぞれ個別に装着してワークの打抜き加工を行ったときの、前記基準の打抜き加工穴の中心位置に対する当該打抜き加工穴のＸ，Ｙ軸方向の偏倚量を、前記各装着穴と前記パンチ，ダイに関連付けて格納したデータベースと、を備えていることを特徴とするものである。
【０００８】
また、複数のパンチを着脱交換自在かつ上下動自在に備えた上部タレットを、各パンチを加工位置へ回転割出し位置決め自在に備えると共に、前記各パンチと対応する複数のダイを着脱交換自在に備えた下部タレットを、前記各パンチに対応して前記各ダイを前記加工位置へ回転割出し位置決め自在に備え、前記加工位置に対して板状のワークを相対的にＸ，Ｙ軸方向へ移動位置決め自在なワーク移動位置決め装置を備えたタレットパンチプレスであって、前記上下のタレットにおける各装着穴の正規な位置に対する各装着穴の中心位置のＸ，Ｙ軸方向への微小誤差をタレットパラメータとして格納したパラメータメモリと、前記上下のタレットにおける各装着穴に装着したパンチ，ダイによるワークの打抜き加工穴を撮像する撮像手段と、この撮像手段によって撮像した前記打抜き加工穴の中心位置を演算する中心位置演算手段と、前記パラメータメモリに格納されたタレットパラメータによって補正された各装着穴の補正中心位置に対する、前記中心位置演算手段によって演算された打抜き加工穴の中心位置のＸ，Ｙ軸方向への偏倚量を演算する偏倚量演算手段と、前記上下のタレットにおける各装着穴にそれぞれ別個のパンチ，ダイをそれぞれ個別に装着してワークの打抜き加工を行ったときの、各装着穴の補正中心位置に対する当該打抜き加工穴のＸ，Ｙ軸方向の偏倚量を、前記各装着穴と前記パンチ，ダイに関連付けて格納したデータベースと、を備えていることを特徴とするものである。
【発明の効果】
【０００９】
本発明によれば、タレットにおける各装着穴に、各パンチ，ダイを装着したときの、各装着穴の軸心に対する各パンチ，ダイにおける軸心のＸ，Ｙ軸方向への偏倚量を、各装着穴と各パンチ，ダイとに関連付けて格納したデータベースを備えているものであるから、板状のワークの打抜き加工を行うとき、当該打抜き加工を行うパンチ，ダイと、当該パンチ，ダイを装着してある装着穴との関係から、当該装着穴の軸心に対するパンチ，ダイにおける軸心のＸ，Ｙ軸方向の偏倚量を補正することができるものである。したがって、より高精度の打抜き加工が行われ得るものである。
【図面の簡単な説明】
【００１０】
【図１】タレットパンチプレスの構成を概念的、概略的に示した説明図である。
【図２】撮像手段による打抜き穴の中心位置の求め方を示す説明図である。
【図３】データベースの説明図である。
【発明を実施するための形態】
【００１１】
以下、図面を用いて本発明の実施形態について説明するに、先ず、理解を容易にするために、タレットパンチプレスの全体的構成について概念的、概略的に説明する。
【００１２】
タレットパンチプレス１はフレーム本体３を備えており、このフレーム本体３には、良く知られているように、複数のパンチＰを着脱交換自在かつ上下動自在に備えた上部タレット５と、前記各パンチＰに対応した複数のダイＤを着脱交換自在に備えた下部タレット７とが、上下に対向して回転自在に備えられている。さらに、前記フレーム本体３にはラム（ストライカ）９が上下動自在に備えられている。上記ストライカ９が上下動する位置が板状のワークＷの打抜き加工を行う加工位置であって、前記パンチＰ及びダイＤを前記加工位置に位置決めするために、前記上下のタレット５，７はパンチＰ，ダイＤを前記加工位置へ回転割出し位置決め自在に備えられている。
【００１３】
前記加工位置に対してワークＷをＸ軸方向，Ｙ軸方向へ相対的に移動位置決めするために、タレットパンチプレス１には、ワーク移動位置決め装置１１が備えられている。既に知られているように、前記ワーク移動位置決め装置１１は、Ｙ軸方向へ移動位置決め自在なキャリッジベース１３がＸ軸方向へ長く備えられている。そして、このキャリッジベース１３には、ワークＷをクランプ自在な複数のワーククランプ１５を備えたキャリッジ１７がＸ軸方向へ移動位置決め自在に備えられている。
【００１４】
したがって、前記上下のタレット５，７を回転して対をなす所望のパンチＰ，ダイＤを加工位置に割出し位置決めすると共に、ワークＷをＸ，Ｙ軸方向へ移動し、ワークＷの加工すべき位置を前記パンチＰ，ダイＤに対応した加工位置へ位置決めする。その後に、ストライカ９を上下動してパンチＰを打圧することにより、パンチＰとダイＤとの協働によってワークＷに打抜き加工が行われるものである。
【００１５】
前述のごとく、パンチＰ，ダイＤによってワークＷの所望位置へ打抜き加工を行うとき、ワークＷのＸ，Ｙ軸方向への移動位置決め、及び上下のタレット５，７の回転位置決めは高精度に行い得るものの、より高精度にワークＷの打抜き加工を行う場合、上部タレット５においてパンチＰを上下動自在に支持したパンチＰの装着穴（図示省略）の内周面とパンチＰ（上金型としてのパンチ）の外周面との間に存在する微小な間隙（クリアランス）が問題になることがある。
【００１６】
すなわち、上下のタレット５，７におけるパンチＰ，ダイＤの装着穴は、例えば上下のタレット５，７を重ねた状態において同時に加工するなど、パンチ，ダイの互の装着穴位置は高精度に整合した状態に加工されている。そして、上下のタレット５，７に対するパンチ，ダイの装着穴位置は予め高精度に測定し、正規の位置に対する上記装着穴のＸ，Ｙ軸方向への微小な誤差は、各装着穴の位置（ステーション位置）毎に、タレットパラメータとして、制御装置１９のパラメータメモリ２１に格納されている。
【００１７】
したがって、所望のパンチＰ，ダイＤを装着した所望のステーション位置を加工位置に割出し位置決めしてワークＷの打抜き加工を行うとき、前記所望のステーション位置に対応したタレットパラメータを用いて、ワークＷの位置決め位置を補正することにより、前記所望のパンチＰ，ダイＤによってワークＷの正確な位置に打抜き加工を行うことができるものである。
【００１８】
ところが、パンチＰの外周面と前記装着穴の内周面との間にはミクロンオーダのクリアランスが存在するので、このクリアランス内において、前記装着穴の中心（軸心）に対してパンチＰの軸心がＸ軸，Ｙ軸方向に偏倚すると、この偏倚に起因して加工位置精度が低下するものであった。
【００１９】
そこで、本実施形態においては、前記加工位置からＸ，Ｙ軸方向に予め所定距離の位置に、例えばＣＣＤカメラなどのごとき撮像手段２３を備えている。前記撮像手段２３は、前記加工位置で打抜き加工された打抜き加工穴を撮像し、カメラ視野において前記打抜き加工穴の中心位置を求めるためのもので、前記打抜き加工穴の中心位置は、前記制御装置１９に備えられた画像処理手段２５によって画像処理された後、中心位置演算手段２７によって演算されるものである。
【００２０】
なお、加工位置の中心と前記撮像手段２３の中心は、図１に示すように、Ｙ軸方向に予め設定した距離だけ偏在してある。しかし、上記両中心のＸ軸方向の位置は一致するように設定してある。
【００２１】
そして、前記上下のタレット５，７における基準の装着穴に装着した基準のパンチＰ，ダイＤによって打抜き加工した基準の打抜き加工穴２９Ａ（図２参照）を前記撮像手段２３によって撮像し、上記基準の打抜き加工穴２９Ａの中心位置（Ｘ１，Ｙ１）をカメラの視野３１において、前記中心位置演算手段２７によって求める。また、所望の別個の装着穴に装着した別個の所望のパンチＰ，ダイＤによってワークＷに別個の打抜き加工穴２９Ｂを加工し、前記撮像手段２３によって同一条件の下に撮像する。そして、この別個の打抜き加工穴２９Ｂの中心位置（Ｘ２，Ｙ２）を同様にして求める。
【００２２】
なお、前記別個の打抜き加工穴２９Ｂは、ワークＷをＸ軸方向又はＹ軸方向へ移動して打抜き加工を行うものである。この場合、Ｘ軸方向，Ｙ軸方向への移動位置は正確に測定して行うものであり、Ｘ，Ｙ軸方向への移動誤差は補正された状態にあるものである。
【００２３】
前記基準の打抜き加工穴２９Ａの中心位置（Ｘ１，Ｙ１）と前記別個の打抜き加工穴２９Ｂの中心位置（Ｘ２，Ｙ２）を基にして、前記別個の装着穴の中心位置に対する別個のパンチＰ，ダイＤの中心位置Ｘ，Ｙ軸方向への偏倚量ΔＸ，ΔＹを、偏倚量演算手段３３によってΔＸ＝Ｘ１−Ｘ２，ΔＹ＝Ｙ１−Ｙ２として求める。そして、この求めた偏倚量ΔＸ，ΔＹは、上下のタレット５，７における各装着穴のステーションＮｏと、前記別個の打抜き加工穴２９Ｂの加工を行ったパンチＰ，ダイＤの工具Ｎｏとを関連付けてデータベース３５に格納されている。
【００２４】
すなわち、前記データベース３５は、図３に示すように、上下のタレット５，７における各ステーションＮｏ（ＳＴ１０５，ＳＴ３０６・・・）と、上記各ステーションに装着した各工具Ｎｏ（Ｋ１，Ｋ２，・・・）とを関連付けて、Ｘ，Ｙ方向の偏倚量が関連付けて格納してある。なお、上記データベース３５において、ステーションＳＴ１０５は基準の装着穴を備えたステーションであり、工具Ｎｏ．Ｋ１は、基準のパンチ，ダイである。したがって、ＳＴ１０５とＫ１との関連付けにおいては、ΔＸ，ΔＹの偏倚量Ｘ，Ｙはそれぞれ０になるものである。
【００２５】
以上のごとき説明より理解されるように、上下のタレット５，７における各ステーションＮｏ（各装着穴）と、当該各装着穴に装着した各パンチＰ，ダイＤ（各工具Ｎｏ．Ｋ１，Ｋ２，・・・）とを関連付けて、各装着穴の中心位置に対する各パンチＰ，ダイＤの中心位置の偏倚量を予めデータベース化してあるので、ワークＷの打抜き加工を行うとき、前記データベースを用いて位置補正することができ、ワークＷのより正確な位置に打抜き加工を行うことができるものである。
【００２６】
なお、本発明は、前述のごとき実施形態のみに限るものではなく、適宜の変更を行うことにより、その他の形態でもって実施可能である。すなわち、上下のタレット５，７における正規な位置に対する各装着穴の中心位置のＸ，Ｙ軸方向への微小誤差は、前記パラメータメモリ２１にタレットパラメータとして格納されている。したがって、各装着穴を加工位置に割出し位置決めしたとき、正規な位置に対する各装着穴における中心位置のＸ，Ｙ軸方向への微小誤差は、前記パラメータメモリ２１に格納されているタレットパラメータによって補正できることになる。
【００２７】
そして、各装着穴に装着したパンチＰ，ダイＤによってワークＷに打抜き加工を行ったときの打抜き加工穴を撮像手段２３によって撮像し、中心位置演算手段２７によって当該打抜き加工穴の中心位置を演算する。したがって、タレットパラメータを用いて補正した装着穴の補正中心位置に対する、中心位置演算手段２７によって演算された中心位置のＸ，Ｙ軸方向への偏倚量を偏倚量演算手段３３によって演算する。
【００２８】
前述のごとく、偏倚量演算手段３３によって、各装着穴の補正中心位置に対する各打抜き加工穴のＸ，Ｙ軸方向への偏倚量を、各装着穴と各パンチＰ，ダイＤに関連付けてデータベース３５に格納する。
【００２９】
すなわち、複数のパンチを着脱交換自在かつ上下動自在に備えた上部タレットを、各パンチを加工位置へ回転割出し位置決め自在に備えると共に、前記各パンチと対応する複数のダイを着脱交換自在に備えた下部タレットを、前記各パンチに対応して前記各ダイを前記加工位置へ回転割出し位置決め自在に備え、前記加工位置に対して板状のワークを相対的にＸ，Ｙ軸方向へ移動位置決め自在なワーク移動位置決め装置を備えたタレットパンチプレスであって、前記上下のタレットにおける各装着穴の正規な位置に対する各装着穴の中心位置のＸ，Ｙ軸方向への微小誤差をタレットパラメータとして格納したパラメータメモリと、前記上下のタレットにおける各装着穴に装着したパンチ，ダイによるワークの打抜き加工穴を撮像する撮像手段と、この撮像手段によって撮像した前記打抜き加工穴の中心位置を演算する中心位置演算手段と、前記パラメータメモリに格納されたタレットパラメータによって補正された各装着穴の補正中心位置に対する、前記中心位置演算手段によって演算された打抜き加工穴の中心位置のＸ，Ｙ軸方向への偏倚量を演算する偏倚量演算手段と、前記上下のタレットにおける各装着穴にそれぞれ別個のパンチ，ダイをそれぞれ個別に装着してワークの打抜き加工を行ったときの、各装着穴の補正中心位置に対する当該打抜き加工穴のＸ，Ｙ軸方向の偏倚量を、前記各装着穴と前記パンチ，ダイに関連付けて格納したデータベースとを備えている構成とすることもできる。
【００３０】
上記構成においても、前述した実施形態と同様の効果を奏し得るものである。
【符号の説明】
【００３１】
１    タレットパンチプレス
５    上部タレット
７    下部タレット
１１  ワーク移動位置決め装置
１９  制御装置
２１  パラメータメモリ
２３  撮像手段（ＣＣＤカメラ）
２５  画像処理手段
２７  中心位置演算手段
３１  カメラの視野
３３  偏倚量演算手段
３５  データベース
【図１】
2014018818.tif 000003
【図２】
2014018818.tif 000004
【図３】
2014018818.tif 000005